(57)【特許請求の範囲】
【請求項１】
ガスオーブンの上部の壁に装着される壁掛け型電子レンジにおいて、
区画板と、
前記区画板により相互区画された調理室と電装室を有し、前記壁に装着される本体と、
前記ガスオーブンから発生したガス及び煙を排気させるため、前記本体内に設けられる排気流路と、
前記排気流路に流入された前記ガス及び煙を外部へ排気させる排気ファンと、
前記ガスオーブンから発生したガス及び煙を前記排気流路側に案内するエアカーテンを形成するため、前記本体の前方下部に設けられた空気吐出口と、
空気を前記空気吐出口側に送風するため、前記本体内に設けられる送風ファンとを含み、
前記電装室の内部を冷却させながら前記空気を前記空気吐出口側に案内するため、前記送風ファンは前記電装室内に設けられることを特徴とする壁掛け型電子レンジ。
【請求項２】
前記空気吐出口は前記本体の前方下部で横方向に延長され、
前記本体は前記電装室から案内された空気を前記空気吐出口側に案内するため、流路を形成する空気案内ダクトを有する底板をさらに含むことを特徴とする請求項１記載の壁掛け型電子レンジ。
【請求項３】
前記本体は、前記本体の前面上部に設けられ、
前記送風ファンの駆動により前記空気が前記電装室内に流入されるようにする吸入口をさらに含むことを特徴とする請求項１記載の壁掛け型電子レンジ。
【請求項４】
前記電装室は、前記吸入口を通じて流入される空気を循環させ前記空気吐出口側に案内するため、前記吸入口に近い前記電装室の前方空間を上部空間と下部空間に区画する空気案内板を含み、
前記送風ファンは前記空気案内板の上部空間内に設けられることを特徴とする請求項３記載の壁掛け型電子レンジ。
【請求項５】
前記調理室と前記電装室の境界をなす前記区画板は、前記電装室内で循環する空気の一部が前記調理室内に流入できるように少なくとも一つの通孔を含むことを特徴とする請求項１記載の壁掛け型電子レンジ。
【請求項６】
前記空気吐出口は前記本体の前方下部で横方向に延長され、
前記本体は、前記電装室から案内された空気を前記空気吐出口側に案内するため、流路を形成する空気案内ダクトを有する底板をさらに含むことを特徴とする請求項１記載の壁掛け型電子レンジ。
【請求項７】
前記空気吐出口は、前記空気吐出口から吐き出される空気を前方下部に案内するため、所定長さで前方下部に延長される吐出案内部を含むことを特徴とする請求項１記載の壁掛け型電子レンジ。
【請求項８】
壁掛け型電子レンジにおいて、
下部に存在するガス及び煙を排気させるため、排気流路を有する本体と、
前記ガス及び煙を前記排気流路側に案内するためのエアカーテンを形成するため、前記本体の前方下部に設けられる空気吐出口と、
空気を吸入して前記空気吐出口側に送風する送風ファンとを含み、
前記本体は、前記空気吐出口に連通する通孔を有する調理室と電装室をさらに含み、
前記送風ファンは前記電装室内に配設され、前記空気を前記通孔を通じて空気吐出口側に送風しながら前記電装室を同時に冷却することを特徴とする壁掛け型電子レンジ。
【請求項９】
前記エアカーテンは前記空気吐出口から噴出される空気により形成されることを特徴とする請求項８記載の壁掛け型電子レンジ。
【請求項１０】
前記壁掛け型電子レンジは、
飲食物に高周波を発生させるマグネトロンと、
前記マグネトロンに電圧を印加する高電圧トランスと、
飲食物が載置されるターンテーブルを有する調理室と、
前記ターンテーブルを回転させる駆動モータと、
前記マグネトロンから発生された高周波を前記調理室側に案内する導波管とを含むことを特徴とする請求項８記載の壁掛け型電子レンジ。
【請求項１１】
前記排気流路は、
ガス及び煙が通過できるように、前記本体の底板に形成される吸入口と、
前記底板と前記吸入口の上部空間を形成する下部流路と、
前記本体の対応側に設けられ、前記下部流路に連通する上昇流路と、
前記上昇流路に連通し、前記ガス及び煙を排気させるため、外部に連通する上部流路とを含むことを特徴とする請求項８記載の壁掛け型電子レンジ。
【請求項１２】
前記空気吐出口は、
空気を噴出して前記エアカーテンを形成する吐出案内部と、
前記通孔を通じて流入された空気を前記吐出案内部側に案内する空気案内ダクトと、
前記電装室から流入された空気を、前記排気流路側に流れるガス及び煙から分離するため、前記通孔に対応して配設される分離板とを含むことを特徴とする請求項８記載の壁掛け型電子レンジ。
【請求項１３】
前記電装室は前記空気吐出口に案内された空気の一部で前記調理室を換気させるため、前記調理室に連通する通孔を含むことを特徴とする請求項１２記載の壁掛け型電子レンジ。
【請求項１４】
前記エアカーテンは前記本体から斜めに噴出されることを特徴とする請求項８記載の壁掛け型電子レンジ。
【請求項１５】
飲食物を内部に収納する調理室、及び下部に存在するガス及び煙を排気させるための排気流路を有する本体と、
前記飲食物を調理する加熱部と、
前記本体の排気流路側にガス及び煙を案内するエアカーテンを形成する空気吐出口と、
前記空気吐出口側に空気を噴出する送風ファンとを含み、
前記調理装置は調理動作を制御する操作パネルを含むが、前記空気吐出口は前記操作パネルの制御信号に応じて選択的にエアカーテンを形成し、
前記空気吐出口は前記操作パネルの制御選択に応じて、少なくとも一つの直線形、アーチ形、半円形及び円形の少なくとも一つの縁部形状を有するエアカーテンを形成することを特徴とする調理装置。
【請求項１６】
前記送風ファンは前記加熱部を冷却させると同時に前記空気吐出口側に空気を噴出することを特徴とする請求項１５記載の調理装置。
【請求項１７】
前記エアカーテンは前記空気吐出口から噴出する空気により形成される気流であることを特徴とする請求項１５記載の調理装置。
【請求項１８】
前記調理室は壁掛け型電子レンジであることを特徴とする請求項１５記載の調理装置。
【請求項１９】
前記空気吐出口は前記操作パネルの制御選択に応じて選択的に前記エアカーテンを所望領域に案内することを特徴とする請求項１５記載の調理装置。
【請求項２０】
前記空気吐出口は前記エアカーテンの位置を変更し得るように前記本体に移動可能に設けられることを特徴とする請求項１５記載の調理装置。
【請求項２１】
前記エアカーテンは前記調理装置の本体から斜めに噴出されることを特徴とする請求項１５記載の調理装置。
【発明の詳細な説明】
【０００１】
【発明の属する技術分野】
本発明は壁掛け型電子レンジに関し、より詳しくは下部のガスオーブンから上昇するガス及び煙の排出を案内するためのエアカーテン機能を有する壁掛け型電子レンジに関するものである。
【０００２】
【従来の技術】
一般に、壁掛け型電子レンジはガスオーブンの上部の壁面に設置されるもので、通常の電子レンジが有する調理機能を果たすとともに、その下部のガスオーブンから上昇するガス及び煙などを外部へ排気する機能を果たすようにしたものである。
【０００３】
図１は従来の壁掛け型電子レンジを示すものである。電子レンジの本体内には、飲食物調理のための調理室と、各種電装部品が設けられる電装室とが相互区画されて設けられる。そして、調理室及び電装室の周囲には、本体１の下部のガスオーブン２から発生するガス及び煙を排気させるための排気流路３が設けられ、本体１の後方上部には、排気流路３を介して本体１の下部から吸入されたガス及び煙を外部へ排気させる排気ファン４が設けられる。
【０００４】
このような電子レンジによる排気動作は、内装排気ファン４が動作するにつれて、ガスオーブン２から発生したガス及び煙が本体１の下部に設けられた排気流路３の吸入口３ａを通じて吸入され、吸入された空気が排気流路３を通じて外部へ排出されることからなる。
【０００５】
ところが、このような壁掛け型電子レンジは、通常、その前後方向の幅“Ｗ１”がガスオーブン２の前後方向の幅“Ｗ２”より小さいため、排気ファン４により厨房空間の排気を行っても、ガスオーブン２から上昇するガス及び煙を十分に排出することができないとの問題点があった。
【０００６】
すなわち、排気流路３の吸入口３ａがたいていガスオーブン２の前方加熱部２ａより後方の上部に位置するため、ガスオーブン２の後方加熱部２ｂから発生するガス及び煙は排気流路３の吸入口３ａに円滑に吸入できるが、ガスオーブン２の前方加熱部２ａから発生するガス及び煙の一部は吸入口３ａに吸入されなくてそのまま上昇して厨房を汚染するとの問題点があった。
【０００７】
【発明が解決しようとする課題】
したがって、本発明はこのような問題点を解決するためになされたもので、その目的は、本体から噴出するエアカーテンにより、ガスオーブンから上昇するガス及び煙を本体の下部吸入口側に案内して、ガス及び煙の排出を円滑にした壁掛け型電子レンジを提供することである。
【０００８】
【課題を解決するための手段】
このような目的を達成するため、本発明は、ガスオーブンの上部の壁に装着される壁掛け型電子レンジにおいて、区画板と、前記区画板により相互区画された調理室と電装室を有し、前記壁に装着される本体と、前記ガスオーブンから発生したガス及び煙を排気させるため、前記本体内に設けられる排気流路と、前記排気流路に流入された前記ガス及び煙を外部へ排気させる排気ファンと、前記ガスオーブンから発生したガス及び煙を前記排気流路側に案内するエアカーテンを形成するため、前記本体の前方下部に設けられた空気吐出口と、空気を前記空気吐出口側に送風するため、前記本体内に設けられる送風ファンとを含む壁掛け型電子レンジを提供する。
【０００９】
前記電装室の内部を冷却させながら前記空気を前記空気吐出口側に案内するため、前記送風ファンは前記電装室内に設けることができる。
【００１０】
前記空気吐出口は前記本体の前方下部で横方向に延長され、前記本体は前記電装室から案内された空気を前記空気吐出口側に案内するため、流路を形成する空気案内ダクトを有する底板をさらに含むことができる。
【００１１】
前記本体は、前記本体の前面上部に設けられ、前記送風ファンの駆動により前記空気が前記電装室内に流入されるようにする吸入口をさらに含むことができる。
【００１２】
前記電装室は、前記吸入口を通じて流入される空気を循環させ前記空気吐出口側に案内するため、前記吸入口に近い前記電装室の前方空間を上部空間と下部空間に区画する空気案内板を含み、前記送風ファンは前記空気案内板の上部空間内に設けることができる。
【００１３】
前記調理室と前記電装室の境界をなす前記区画板は、前記電装室内で循環する空気の一部が前記調理室内に流入できるように少なくとも一つの通孔を含むことができる。
【００１４】
前記空気吐出口は前記本体の前方下部で横方向に延長され、前記本体は、前記電装室から案内された空気を前記空気吐出口側に案内するため、流路を形成する空気案内ダクトを有する底板をさらに含むことができる。
【００１５】
【発明の実施の形態】
以下、本発明による好ましい実施形態を添付図面に基づいて詳細に説明する。図２ないし図５は本発明による壁掛け型電子レンジを示す。図２に示すように、壁掛け型電子レンジの本体１０はガスオーブン１００の上部の厨房壁面に固定される。この本体１０の内部には、図３及び図４に示すように、飲食物の調理のための調理室１１と、各種電気部品が内装される電装室１２とが相互区画されるように形成される。また、調理室１１及び電装室１２から区画される本体１０の下部空間と両側方と上側方には、本体１０の下部のガスオーブン１００から発生するガス及び煙を排気させるための排気流路が設けられ、本体１０の上側後方には、排気流路に沿って案内されるガス及び煙を外部へ排出させるための排気ファン１３が設けられる。
【００１６】
図３及び図４に示すように、調理室１１の内部には、調理物が載置される回転可能なターンテーブル１４が設けられ、調理室１１の底部にはターンテーブル１４を回転させる駆動手段として、通常のモータ１５が設けられる。そして、調理室１１の前面には、調理室１１内に調理物が収納できるよう、開閉可能なドア１６が取り付けられる。
【００１７】
電装室１２内には、調理室１１の内部に高周波を供給するためのマグネトロン１７と、マグネトロン１７に高電圧を印加するための高圧トランス１８及び高圧コンデンサー１９とが内装される。また、電装室１２の前面には電子レンジの各種機能を操作するための多数の操作ボタンが設けられた操作パネル２０が設けられる。ここで、マグネトロン１７は電装室１２の上部に配設され、高圧トランス１８は電装室１２の底面に取り付けられ、高圧コンデンサー１９は電装室１２の後方に取り付けられる。また、マグネトロン１７の位置に対応する電装室１２の上部と調理室１１の上部には、マグネトロン１７から発生する高周波が調理室１１の内部に案内されるように、通常の導波管２１が設けられる。
【００１８】
本体１０の下部から生じるガス、煙などを排気させるための排気流路は、図３ないし図５に示すように、本体１０の下部の底板２２に形成された排気用吸入口２２ａ、調理室１１及び電装室１２の下面と底板２２の上面との離隔空間に設けられる下部流路２３、調理室１１の側方及び電装室１２の後方に上下方向に設けられた二つの上昇流路２４、２５と、前記二つの上昇流路２４、２５に沿って案内されたガス及び煙を排気ファン１３側に案内するように、本体１０の上部に設けられた上部流路２６とからなる。これは、排気ファン１３が駆動するとき、底板２２の吸入口２２ａを通じて吸入されたガス及び煙が下部流路２３、上昇流路２４、２５、及び上部流路２６を順次経て排出されるようにしたものである。
【００１９】
また、本発明による電子レンジは、本体１０の前方下部から吐き出される空気により形成されるエアカーテン“Ａ”により、下部のガスオーブン１００から上昇するガス及び煙が本体１０の下部の排気用吸入口２２ａ側に案内する機能を果たす。この機能のためのものとして、本体１０の前方下部には、エアカーテン“Ａ”を形成する空気の吐出のための空気吐出口３０が形成され、電装室１２の内部には、室内空気を吸入して空気吐出口３０側に強制送風するための送風ファン３１が設けられる。
【００２０】
また、電装室１２の前面上部（操作パネルの上部）には、電装室１２の内部に設けられた送風ファン３１が駆動するとき、室内の空気を電装室１２の内部に吸入するための吸入口３２が形成され、電装室１２の底板３３の前方には、電装室１２の内部に流入された空気を本体１０の下部の空気吐出口３０側に吐き出すため、電装室１２の内部と空気吐出口３０が連通するようにする貫通孔３４が形成されている。
【００２１】
また、電装室１２の内部には、吸入口３２を通じて吸入された空気が電装室１２の内部を循環しながら電装室１２を冷却させた後、下部の貫通孔３４を通じて空気吐出口３０側に吐き出されるよう、電装室１２の前方空間を上部と下部に区画して空気の流れを案内する空気案内板３５が設けられる。そして、送風ファン３１は空気案内板３５の上部空間に設けられるが、吸入された空気を電装室１２の内側に送風するため、送風方向が電装室１２の内側後方に向かうように配設される。本実施形態において、電装室１２の内部の送風ファン３１は電装室１２の内部の冷却機能と、エアカーテン“Ａ”の形成のための空気の送風機能とを兼ねるようになっているが、電装室１２の内部に、エアカーテン“Ａ”の形成のための送風ファンと電装室の冷却だけのための送風ファンとを別に設けて別途の機能を果たすようにすることもできる。
【００２２】
本体１０の前方下部に設けられる空気吐出口３０は、本体１０の幅にほぼ対応する幅を有するように、本体１０の底板２２の前端に横方向に長く形成される。また、空気吐出口３０には、吐き出される空気を本体１０の前方下部の方向に案内するため、空気吐出口３０から空気の吐出方向に（底板の外側方向に）所定長さだけ延長された吐出案内部３７が設けられる。
【００２３】
また、空気吐出口３０が形成された側の本体１０の底板２２には、電装室１２の下部の貫通孔３４を通じて吐き出される空気を調理室１１の下部に位置する空気吐出口３０側に案内する流路を形成する空気案内ダクト３８が設けられる。空気案内ダクト３８は調理室１２の下部に位置する空気吐出口３０の上部を覆う長さを有し、電装室１２の下部の貫通孔３４に近い端部に開放部３８ａを有する。また、電装室１２の下部側に位置する底板２２の上面には、電装室１２から吐出口３０側に吐き出される空気を、本体１０の下部の吸入口２２ａを通じて排気流路２３に流れるガスから隔離するための分離板３９が設けられる（図５参照）。図６に示すように、底板２２には二つの吸入口２２ａが提供できる。
【００２４】
図３及び図４に示すように、本発明による壁掛け型電子レンジの電装室１１と調理室１２とを区画する区画板４０には、送風ファン３１の駆動により、電装室１２の内部の循環する空気の一部が調理室１１の内部に流入して調理室１１を換気させるため、複数の通孔４１が形成され、区画板４０の対向側に位置する調理室１１の上部には、調理室１１の内部空気の排出のための通孔４２と前面排出口４３が設けられる。ここで、送風ファン３１の駆動により電装室１２を循環する空気は、調理室１１の換気のための一部空気を除いた残りの空気が電装室１２を経て空気吐出口３０側に吐き出されるようにすることが好ましい。
【００２５】
つぎに、このように構成された本発明による壁掛け型電子レンジの動作を図２ない図５に基づいて説明する。
【００２６】
調理を行うに際して、図４に示すように、電装室１２内に設けられたマグネトロン１７から発生される高周波が導波管２１を通じて調理室１１の内部に発生されることにより、調理室１１に収納された調理物の調理がなされる。図４に示すように、調理室１１の換気動作は、電装室１２内に設けられた送風ファン３１の駆動により、電装室１２の内部に流入された空気の一部が区画板４０の通孔４１を通じて調理室１１に流入することからなる。すなわち、電装室１２を循環する空気の一部は区画板４０の通孔４１を通じて調理室１１の内部に流入され、水蒸気を含む調理室１１の内部空気は調理室１１の上部の通孔４２と前面排気口４３を通じて排出されることにより、調理室１１の換気が成される。この際、電装室１２の内部に流入される空気により電装室１２に内装された電気部品が冷却される。
【００２７】
このような調理動作と同時に、本体１０の下部のガスオーブン１００から発生したガス及び煙の排気動作を行うに際して、使用者が操作パネル２０に設けられた排気機能ボタン（図示せず）を操作すると、本体１０の後方上部に設けられた排気ファン１３が動作し、排気ファン１３の動作により、本体１０の下部のガス及び煙が排気流路を通じて外部へ排出される。すなわち、排気ファン１３が動作すると、ガスオーブン１００から発生するガス及び煙は本体１０の下部の排気用吸入口２２ａを通じて下部流路２３に流入され、下部流路２３に流入された空気は調理室１１の側方と電装室１２の後方にそれぞれ設けられた二つの上昇流路２４、２５に沿って上昇し、続いて本体１０の上部に設けられた上部流路２６に沿って排気ファン１３側に流れ外部へ排出される。
【００２８】
また、図２及び図５に示すように、このような排気動作が行われる間、電装室１２の内部の送風ファン３１を同時に駆動することにより、本体１０の前方下部にエアカーテン“Ａ”が形成される。すなわち、送風ファン３１を駆動すると、電装室１２の上部の吸入口３２を通じて吸入された空気が電装室１２の内部に流入して電装室１２を冷却させた後、本体１０の前方下部に設けられた空気吐出口３０側に吐き出されることにより、エアカーテン“Ａ”を形成する。この際、電装室１２の内部の空気案内板３５は、吸入口３２を通じて電装室１２に流入された空気が電装室１２を循環することで電装室１２の冷却機能を果たし、本体の底板２２の空気案内ダクト３８は吐き出される空気が横方向に長く形成された空気吐出口３０の全域にわたって均等に分散されて吐き出されるようにする機能を果たす。
【００２９】
本体１０の前方下部に吐き出されるエアカーテン“Ａ”は、図２に示すように、所定の傾きで本体１０の前方下部に噴出されて、空気の境界幕を形成する。そして、このようなエアカーテン“Ａ”は、ガスオーブン１００から上昇するガス及び煙の上昇を遮断するとともに、ガス及び煙を本体１０の下部の吸入口２２ａ側に誘導して外部へ排出することにより、ガス及び煙による室内空間の汚染を防止する機能を果たす。特に、エアカーテン“Ａ”はガスオーブン１００の前方加熱部１１０から生じるガス及び煙を本体１０の下部の排気用吸入口２２ａ側に誘導して外部へ排出する。
【００３０】
【発明の効果】
以上説明したように、本発明による壁掛け型電子レンジは、本体の前方下部に噴出されるエアカーテンにより、ガスオーブンから上昇するガス及び煙を本体の下部の吸入口側に誘導して外部へ排出することができるので、ガス及び煙による室内空間の汚染を防止することができる効果がある。
【００３１】
また、本発明は、電装室の内部に設けられる送風ファンをもって電装室の冷却機能とエアカーテン機能を同時に果たし得る構造であるので、製造費の面で有利な効果がある。
【００３２】
以上本発明を壁掛け型電子レンジを参照して説明したが、本発明はほかの調理装置から発生するガス及び煙を排出させるのに適したほかの調理装置にも適用することができる。すなわち、本発明は、例えばほかの調理装置から発生するガス及び煙を排出する、トースター機、対流式オーブン、及び電子レンジ／対流式オーブンなどの複合調理装置にも適用することができる。
【００３３】
また、本発明の空気吐出口は、操作パネルの制御選択により、少なくとも一つの直線形、アーチ形、半円形、及び円形の縁部形状を有するエアカーテンを噴出するように設計できる。そのうえ、本発明の空気吐出口は調理装置の特定燃焼部側にエアカーテンが噴出されるように設計することもできる。
【図面の簡単な説明】
【図１】  ガスオーブンの上方に装着された従来の壁掛け型電子レンジの使用状態を示す側断面図である。
【図２】  本発明の一実施形態による壁掛け型電子レンジの使用状態を示す側断面図である。
【図３】  図２に示す壁掛け型電子レンジの構造を示す斜視図である。
【図４】  図３に示す壁掛け型電子レンジの構造を示す正断面図である。
【図５】  図２ないし図４に示す壁掛け型電子レンジの電装室の構造を示す拡大断面図である。
【図６】  図２ないし図５に示す壁掛け型電子レンジの本体底板の構造を示す斜視図である。
【符号の説明】
１０  本体
１１  調理室
１２  電装室
１３  排気ファン
１７  マグネトロン
１８  高圧トランス
２０  操作パネル
２１  導波管
２２  本体の底板
２２ａ  排気用吸入口
２３、２４、２５、２６  排気流路
３０  空気吐出口
３１  送風ファン
３４  貫通孔
３５  空気案内板
３７  吐出案内部
３８  空気案内ダクト
３９  分離板
４１  通孔
Ａ  エアカーテン
【図１】
0003741677.tif 000002
【図２】
0003741677.tif 000003
【図３】
0003741677.tif 000004
【図４】
0003741677.tif 000005
【図５】
0003741677.tif 000006
【図６】
0003741677.tif 000007